(57)【要約】  本発明は、ＣＲＩＤと共にインスタンスメタデータ識別子を利用したコンポーネントの識別方法と、これを利用したターゲッティング方法を提供するところにその目的がある。本発明は、同じ内容の互いに異なるビット表現を有するコンポーネントの識別方法であって、前記コンポーネントのそれぞれに同じＣＲＩＤを与え、前記コンポーネントのそれぞれに互いに異なるインスタンスメタデータ識別子を与えて、前記ＣＲＩＤと前記インスタンスメタデータ識別子とを共に用いて、前記コンポーネントのそれぞれを識別する。また、本発明は、同じ内容の同じビット表現を有するが、互いに異なる位置を有するコンポーネントの識別方法であって、同じＣＲＩＤを有する前記コンポーネントのそれぞれに互いに異なるインスタンスメタデータ識別子を与えて、意図とするターゲッティングの該当条件を有するパッケージメタデータに前記インスタンスメタデータ識別子をリストする。従って、パッケージに記述された特性と使用環境の条件との自動的なマッチングを許し、効率的なターゲッティングを支援できるという効果を提供する。
2007531381.tif 000002
【特許請求の範囲】
【請求項１】
同じ内容の互いに異なるビット表現を有するコンポーネントの識別方法において、
前記コンポーネントのそれぞれに同じＣＲＩＤを与え、
前記コンポーネントのそれぞれに、互いに異なるインスタンスメタデータ識別子を与え、
前記ＣＲＩＤと前記インスタンスメタデータ識別子とを共に用いて前記コンポーネントのそれぞれを識別することを特徴とするコンポーネントの識別方法。
【請求項２】
前記ビット表現が、コーディングフォーマット、ビット率、アスペクト比を含んでなるグループのうち、選択されたいずれか１つであることを特徴とする請求項１に記載のコンポーネントの識別方法。
【請求項３】
ユーザの端末に使用環境に適するコンテンツを提供するターゲッティング方法において、
同じ内容の互いに異なるビット表現を有するコンポーネントに対し、ＣＲＩＤと共にインスタンスメタデータ識別子を前記コンポーネントの識別子として用い、前記使用環境の条件に応じるパッケージメタデータを生成するステップと、
前記パッケージメタデータを符号化して、前記ユーザの端末に伝送するステップと
を含むことを特徴とするターゲッティング方法。
【請求項４】
前記パッケージメタデータを生成した後、
前記生成されたパッケージメタデータを独立に伝送、処理、更新され得る細部単位に分解する断片化（Ｆｒａｇｍｅｎｔａｔｉｏｎ）ステップをさらに備えることを特徴とする請求項３に記載のターゲッティング方法。
【請求項５】
前記符号化されたパッケージメタデータをグループ付けるカプセル化ステップをさらに含むことを特徴とする請求項４に記載のターゲッティング方法。
【請求項６】
前記符号化されたパッケージメタデータを単方向放送システムやＩＰ網を利用した両方向システムを介して伝送することを特徴とする請求項３に記載のターゲッティング方法。
【請求項７】
ユーザの端末に使用環境に適するコンテンツを提供するターゲッティングサービス提供システムにおいて、
同じ内容の互いに異なるビット表現を有するコンポーネントに対し、ＣＲＩＤと共にインスタンスメタデータ識別子を前記コンポーネントの識別子として用い、前記使用環境の条件に応じるパッケージメタデータを生成するパッケージメタデータ生成部と、
前記パッケージメタデータを符号化する符号化部と、
前記符号化されたメタデータを前記ユーザの端末に伝送する伝送部と
を備えたことを特徴とするターゲッティングサービス提供システム。
【請求項８】
ユーザの端末において、
同じ内容の互いに異なるビット表現を有するコンポーネントに対し、ＣＲＩＤと共にインスタンスメタデータ識別子を前記コンポーネントの識別子として用い、前記使用環境の条件によって生成されたパッケージメタデータを受信する受信部と、
前記受信されたメタデータを復号化する復号化部と
を備え、
前記復号化されたメタデータの前記コンポーネント識別子を利用して前記コンポーネントを獲得した後、消費することを特徴とするユーザの端末。
【請求項９】
同じ内容の同じビット表現を有するが、互いに異なる位置を有するコンポーネントの識別方法において、
同じＣＲＩＤを有する前記コンポーネントのそれぞれに、互いに異なるインスタンスメタデータ識別子を与え、
意図とするターゲッティングの該当条件を有するパッケージメタデータに、前記インスタンスメタデータ識別子をリストすることを特徴とするコンポーネントの識別方法。
【請求項１０】
使用環境に適するコンテンツをユーザの端末に提供するターゲッティング方法において、
同じ内容の同じビット表現を有するが、位置の異なるコンポーネントが存在する場合、意図とするターゲッティングの該当条件を有するパッケージメタデータに、前記コンポーネントに与えられたインスタンスメタデータ識別子をリストしてパッケージメタデータを生成するステップと、
前記パッケージメタデータを符号化するステップと、
前記符号化されるパッケージメタデータを前記ユーザの端末に伝送するステップと
を含むことを特徴とするターゲッティング方法。
【請求項１１】
前記パッケージメタデータを生成した後、
前記生成されたパッケージメタデータを独立的に伝送、処理、更新され得る細部単位に分解する断片化ステップをさらに含むことを特徴とする請求項１０に記載のターゲッティング方法。
【請求項１２】
前記符号化されたパッケージメタデータをグループ付けるカプセル化ステップをさらに含むことを特徴とする請求項１１に記載のターゲッティング方法。
【請求項１３】
前記符号化されるパッケージメタデータを単方向放送システムやＩＰ網を利用した両方向システムを介して伝送することを特徴とする請求項１０に記載のターゲッティング方法。
【請求項１４】
使用環境に適するコンテンツをユーザの端末に提供するターゲッティングサービス提供システムにおいて、
同じ内容の同じビット表現を有するが、位置の異なるコンポーネントが存在する場合、意図とするターゲッティングの該当条件を有するパッケージメタデータに、前記コンポーネントに与えられたインスタンスメタデータ識別子をリストしてパッケージメタデータを生成するパッケージメタデータ生成部と、
前記パッケージメタデータを符号化する符号化部と、
前記符号化されたメタデータを前記ユーザの端末に伝送する伝送部と
を備えたことを特徴とするターゲッティングサービス提供システム。
【請求項１５】
ユーザの端末において、
同じ内容の同じビット表現を有するが、位置の異なるコンポーネントに対し、ＣＲＩＤと共にインスタンスメタデータ識別子を前記コンポーネントの識別子として用いて、意図とするターゲッティングの該当条件を有するパッケージメタデータに、前記コンポーネントに与えられたインスタンスメタデータ識別子をリストして生成するパッケージメタデータを受信する受信部と、
前記受信されたメタデータを復号化する復号化部と
を備え、
前記復号化されたメタデータの前記コンポーネント識別子を利用して前記コンポーネントを獲得した後、消費することを特徴とするユーザの端末。
【請求項１６】
前記コンポーネントのうち、任意のコンポーネントを獲得した後、消費することを特徴とする請求項１５に記載のユーザの端末。
【発明の詳細な説明】
【技術分野】
【０００１】
本発明は、効率的なターゲッティングを支援するためのコンポーネントの識別方法に関する。
【背景技術】
【０００２】
放送のデジタル化に応じて多媒体、多チャンネルだけでなく、これまでの単方向放送受信から、放送通信ネットの連動を介する様々な受信端末の受容等の複雑な形態へと放送環境は急速に変化している。視聴者の方では、限られたチャネル選択だけで放送番組を受信する受動的な視聴を脱し、放送サービスへの直接の参加や、又は、希望の時間に希望の番組を受信、視聴しようとする要求が広まっている。
【０００３】
このような変化は、放送環境が、より複雑多様に個人化された形へと進化していると要約できる。カスタマイズされた放送（Ｃｕｓｔｏｍｉｚｅｄ  Ｂｒｏａｄｃａｓｔｉｎｇ）は、このように複雑多様な新しい放送環境において、視聴者が、より便利で効率的に希望の放送コンテンツを、希望の時間に、様々な端末で視聴者の周航嗜好に合わせて、希望の形で消費できるようにする。即ち、カスタマイズされた放送は、ユーザの嗜好、端末の性能、ネット特性、自然環境（時間、場所、ユーザの状態等）等を含めた使用環境に適したカスタマイズされた放送コンテンツを提供しようとするものである。
【０００４】
カスタマイズされた放送に対する標準は、仮定しているシステム環境と提供しようとしている主要機能的な側面とにおいて、Ｐｈａｓｅ１（ＴＶＡ−１）とＰｈａｓｅ２（ＴＶＡ−２）との２つのステップに分けられる。ＴＶＡ−１は、主な放送番組が単方向の放送チャネルに転送され、両方向ネットワークを介して追加されたメタデータを獲得できる環境で、ＰＤＲ（Ｐｅｒｓｏｎａｌ  Ｄｉｇｉｔａｌ  Ｒｅｃｏｄｅｒ）を中心にＡＶ（Ａｕｄｉｏ／Ｖｉｄｅｏ）コンテンツの探索、選択、獲得、消費等の応用サービスを可能とするためのものである。ＴＶＡ−２は、単方向の放送チャネル及び両方向ネットワークとを仮定したＴＶＡ−１の消費環境を拡張し、ホームネットワーク環境で、様々な端末の間におけるコンテンツの共有（Ｓｈａｒｉｎｇ）、様々なユーザ環境に合わせたコンテンツを提供するターゲッティング等のサービスを提供し、またコンテンツもＴＶＡ−１のＡＶばかりでなく、様々な形のコンテンツを受容る。
【０００５】
ターゲッティングは、ユーザの選好度ばかりでなく、端末やネットワークの条件のようなユーザの使用環境によって、各ユーザに適応したコンテンツサービスである。ターゲッティングサービスを用いる典型的な例は、１つの端末がＭＰ３復号化器を有し、別の端末がＷＡＶ復号化器を有しているとき、パッケージメタデータの提供者が同じ内容であるが、前記端末のそれぞれに適した異なるフォーマットを有する２種類の形態（Ｔｙｐｅ）のコンポーネントを支援するものである。ここで、パッケージは、ＡＶプログラムばかりでなく、様々な形のメディアコンポーネントを結んだ一種の選択単位であり、ＭＰＥＧ−２１の「Ｄｉｇｉｔａｌ  Ｉｔｅｍ」と同じ概念である。
【０００６】
このようなシナリオにおいて、ＭＰ３ファイルフォーマットコンポーネントは、ＷＡＶファイルフォーマットコンポーネントと同じＣＲＩＤ（Ｃｏｎｔｅｎｔ  Ｒｅｆｅｒｅｎｃｅ  Ｉｄｅｎｔｉｆｉｅｒ）を有する。これは、両コンポーネントが同じコンテンツを有するためである。しかしながら、両コンポーネントは、異なるビット表現を有する異なるコンテンツインスタンスを有する。使用環境の条件に関係なく、異なるビット表現を有するが、同じコンテンツを有する両コンポーネントに同じＣＲＩＤが割り当てられる。
【０００７】
表１は、コンポーネントが単にＣＲＩＤだけで識別される場合のパッケージを表している。
【表１】
2007531381.tif 000003
【０００８】
このように、コンポーネント識別子としてＣＲＩＤを用いる簡単な方法は、与えられた条件に適したコンポーネントを自動的にマッチングさせるターゲッティングを支援しない。代わりに、与えられた条件に対して同じＣＲＩＤを有する全てのロケータ（Ｌｏｃａｔｏｒ）のメタデータを比較することによって、適切なコンポーネントを選択することは、ユーザ又は代理人（Ａｇｅｎｔ）の介入を必要とする。従って、ターゲッティングのために、同じ内容の異なるビット表現を有するコンテンツの区別が必要である。また、同じ内容の同じビット表現を有するが、コンテンツの位置だけが異なる場合、これをどう処理するかに対する方案を提供する必要がある。
【発明の開示】
【発明が解決しようとする課題】
【０００９】
本発明は、上記問題を解決するためになされたものであって、その目的は、ＣＲＩＤと共にインスタンスメタデータ識別子を利用したコンポーネントの識別方法と、これを利用したターゲッティング方法を提供することである。
【課題を解決するための手段】
【００１０】
本発明は、同じ内容の互いに異なるビット表現を有するコンポーネントの識別方法として、前記コンポーネントのそれぞれに同じＣＲＩＤを与え、前記コンポーネントのそれぞれに互いに異なるインスタンスメタデータ識別子を与え、前記ＣＲＩＤと前記インスタンスメタデータ識別子とを共に用いて前記コンポーネントをそれぞれ識別する。
【００１１】
また、本発明は、同じ内容の同じビット表現を有するが、互いに異なる位置を有するコンポーネントの識別方法として、同じＣＲＩＤを有する前記コンポーネントのそれぞれに、互いに異なるインスタンスメタデータ識別子を与え、意図とするターゲッティングの該当条件を有するパッケージメタデータに、前記インスタンスメタデータ識別子をリストする。
【００１２】
また、本発明は、ユーザの端末に使用環境に適するコンテンツを提供するターゲッティングサービス提供システムであって、パッケージメタデータ生成部、前記パッケージメタデータを符号化する符号化部、前記符号化されたメタデータを前記ユーザの端末に伝送する伝送部からなる。メタデータ生成部は、同じ内容の互いに異なるビット表現を有するコンポーネントに対し、ＣＲＩＤと共に、インスタンスメタデータ識別子を前記コンポーネントの識別子として用い、前記使用環境の条件に応じるパッケージメタデータを生成する。
【００１３】
前記パッケージメタデータ生成部は、同じ内容の同じビット表現を有するが、位置の異なるコンポーネントが存在する場合、意図とするターゲッティングの該当条件を有するパッケージメタデータに、前記コンポーネントに与えられたインスタンスメタデータ識別子をリストし、パッケージメタデータを生成することができる。
【００１４】
また、本発明は、ユーザの端末であって、パッケージメタデータを受信する受信部と前記受信されたメタデータとを復号化する復号化部を備え、前記復号化されたメタデータの前記コンポーネント識別子を利用して前記コンポーネントを獲得した後、消費する。受信部は、同じ内容の互いに異なるビット表現を有するコンポーネントに対し、ＣＲＩＤと共にインスタンスメタデータ識別子を前記コンポーネントの識別子として用い、前記使用環境の条件に応じて生成されたパッケージメタデータを受信する。
【００１５】
また、受信部は、同じ内容の同じビット表現を有するが、位置の異なるコンポーネントに対し、ＣＲＩＤと共にインスタンスメタデータ識別子を前記コンポーネントの識別子として用い、意図とするターゲッティングの該当条件を有するパッケージメタデータに、前記コンポーネントに与えられたインスタンスメタデータ識別子をリストして生成されたパッケージメタデータを受信することができる。
【発明の効果】
【００１６】
本発明は、同じ内容を有するコンポーネントに対する識別方法を提供することによって、パッケージに記述される特性と使用環境の条件との自動的なマッチングを許し、効率的なターゲッティングを支援できるという効果を提供する。
【発明を実施するための最良の形態】
【００１７】
上述した目的、特徴及び長所は、添付した図面に係る次の詳細な説明を介して、さらに明確になり、それに応じて本発明が属する技術分野において、通常の知識を有する者が、本発明の技術的な思想を容易に実施できるものである。また、本発明を説明するにあたって、本発明に係る公知の技術に対する具体的な説明が不要に本発明の要旨を濁すものと判断される場合、その詳細な説明を省略することにする。
【００１８】
コンポーネントは、同じ内容であるが、互いに異なるビット表現を有することができる。ここで、ビット表現は、コーディングフォーマット（例：ｍａｐ３，ｗａｖ）、ビット率、アスペクト比（Ａｓｐｅｃｔ  ｒａｔｉｏ）のように、同じ内容のコンテンツが有することのできる様々な表現形態である。このように、同じ内容であるが、互いに異なるビット表現を有するコンポーネントが存在する場合、これを識別するために、本発明はコンポーネント識別子としてＣＲＩＤ（Ｃｏｎｔｅｎｔ  Ｒｅｆｅｒｅｎｃｅ  ＩＤｅｎｔｉｆｉｅｒ）と共にインスタンスメタデータ識別子（ｉｍｉ，Ｉｎｓｔａｎｃｅ  Ｍｅｔａｄａｔａ  Ｉｄｅｎｔｉｆｉｅｒ）を用いる方法を提示する。インスタンスメタデータ識別子は、同じ内容であっても異なるビット表現を有するコンポーネントに対して異なるように与えられる。
【００１９】
本発明に係るコンポーネント識別子は、消費者が同じ内容であるが、異なるビット表現を有するコンポーネントのインスタンスを識別することを可能とし、条件にマッチングした適切なビット表現を有するコンポーネントを獲得することを可能とする。これは、インスタンスメタデータ識別子を利用する、位置依存的な識別に該当する。
【００２０】
表２は、コンポーネント識別子としてＣＲＩＤと共にインスタンスメタデータ識別子を用いたパッケージメタデータの一部を示す。表２のように、同じ内容であるが、コーディングフォーマットがそれぞれｗａｖ，ｍｐ３であるコンポーネントが存在する場合、同じＣＲＩＤに加え、それぞれ別個に与えられたインスタンスメタデータ識別子（ｉｍｉ：１，ｉｍｉ：２）を用いることによって、それぞれのコンポーネントを識別することができる。
【表２】
2007531381.tif 000004
【００２１】
上述したコンポーネントの識別方法を利用したターゲッティング方法を説明すると次の通りである。
【００２２】
図１は、本発明が適用される実施形態に係るターゲッティングシステムを示す構成図である。ターゲッティングサービス提供システム１０は、使用環境条件に応じるパッケージを生成する。パッケージ（又はパッケージメタデータ）は、表２でのようにＸＭＬ（Ｅｘｔｅｎｓｉｂｌｅ  Ｍａｒｋ−ｕｐ  Ｌａｎｇｕａｇｅ）文書からなる。このとき、同じ内容の異なるビット表現を有するコンポーネントが存在する場合、ターゲッティングサービス提供システム１０は、コンポーネント識別子としてＣＲＩＤと共にインスタンスメタデータ識別子を用いる。即ち、同じ内容の異なるビット表現を有する各コンポーネントのそれぞれに対し、互いに異なるインスタンスメタデータ識別子がＣＲＩＤと共に用いられる。
【００２３】
ＸＭＬ文書からなるパッケージメタデータは、断片化される。断片化（Ｆｒａｇｍｅｎｔａｔｉｏｎ）は、メタデータを独立的に伝送、処理、更新され得る細部単位に分解する過程である。断片化されたパッケージメタデータは、符号化（Ｅｎｃｏｄｉｎｇ）された後、カプセル化される。カプセル化は、符号化されたメタデータ断片を伝送するために、グループ化する過程である。カプセル化されたパッケージメタデータは、単方向放送システムや、ＩＰ網を利用した両方向システムを介してユーザの端末２０に転送される。
【００２４】
ユーザの端末２０側では、選択したパッケージに属するコンポーネントのうち、環境（個人の趣向、端末の特性、ネットワークの特性等）に合うコンポーネントを受動又は自動的に選択する。選択されたコンポーネントは、該当ＣＲＩＤとインスタンスメタデータ識別子とを利用し、ＴＶＡ−１標準の位置決定（Ｃｏｎｔｅｎｔ  Ｒｅｆｅｒｅｎｃｉｎｇ）のメカニズムを介して獲得され、消費される。
【００２５】
このように、同じ内容であるが、ビット表現が異なるコンポーネントに対し、ＣＲＩＤと共にインスタンスメタデータ識別子を用いて識別することは、上述したターゲッティングサービス提供装置側でパッケージを生成するときばかりでなく、ユーザの端末側で環境に合うコンポーネントを選択して獲得するときにも用いることができる。
【００２６】
一方、コンポーネントは、同じ内容の同じビット表現を有するが、存在する位置が異なることもある。図２は、本発明が適用される位置決定におけるＣＲＩＤ、インスタンスメタデータ識別子及びロケータツリー構造である。図２に示すように、インスタンスメタデータ識別子は、設定されたＣＲＩＤの領域内で唯一のものであり、ＣＲＩＤ−ロケータ１組当り１つだけである。このようなインスタンスメタデータ識別子の特性のため、同じ特性、即ち、同じビット表現のコンポーネントインスタンスは、残りのコンポーネントインスタンスから単一のインスタンスメタデータ識別子によって識別されない。
【００２７】
このように、同じ内容の同じビット表現を有するが、位置が互いに異なるコンポーネントが存在する場合、本発明は、パッケージ生成の際にインスタンスメタデータ識別子を用いてコンポーネントロケータを識別する。同じ内容の同じビット表現を有するが、位置の異なるコンポーネントに対し、各インスタンスメタデータ識別子は、表３のように、意図とするターゲッティング使用の場合の該当条件を有するパッケージメタデータにリストされる。
【００２８】
表３は、多重インスタンスメタデータ識別子が用いられたパッケージメタデータの一部を表しており、表４は、コンポーネントのエレメント（Ｅｌｅｍｅｎｔ）を参照とするリソースのスキーマ（Ｓｃｈｅｍａ）を表している。表３において、同じ内容の同じコーディングフォーマット（ＷＡＶ）を有するが、位置のみ異なる２つのコンポーネントにそれぞれインスタンスメタデータ識別子としてｉｍｉ：１とｉｍｉ：２が与えられる。インスタンスメタデータ識別子ｉｍｉ：１とｉｍｉ：２は、意図とするターゲッティング使用の場合の該当条件を有するパッケージメタデータにリストされる。従って、同じ内容の同じビット表現を有するコンポーネントは、１つのコンポーネントにグループ化され得る。
【表３】
2007531381.tif 000005
【表４】
2007531381.tif 000006
【００２９】
上述したコンポーネントの識別方法を利用したターゲッティング方法を、図１を参照して説明すると次の通りである。
【００３０】
ターゲッティングサービス提供システム１０は、使用環境条件に応じるパッケージを生成する。パッケージ（又はパッケージメタデータ）は、表３のようにＸＭＬ文書からなる。このとき、同じ内容の同じビット表現を有するが、位置の異なるコンポーネントが存在する場合、ターゲッティングサービス提供システム１０は、コンポーネント識別子としてＣＲＩＤと共にインスタンスメタデータ識別子を用いる。ここで、同じ内容の同じビット表現を有するが、位置の異なるコンポーネントに対し、それぞれのインスタンスメタデータ識別子は、意図とするターゲッティング使用の場合の該当条件を有するパッケージメタデータにリストされる。
【００３１】
ＸＭＬ文書からなるパッケージメタデータは断片化される。断片化されたパッケージメタデータは、符号化された後、カプセル化される。カプセル化されたパッケージメタデータは、単方向放送システムやＩＰ網を利用した両方向システムを介してユーザの端末２０に転送される。
【００３２】
ユーザの端末２０側では、選択されたパッケージに属するコンポーネントのうち、環境（個人の趣向、端末の特性、ネットワークの特性等）に合うコンポーネントを受動又は自動的に選択する。選択されたコンポーネントは、該当ＣＲＩＤ及びインスタンスメタデータ識別子を利用してＴＶＡ−１標準の位置決定メカニズムを介して獲得され、消費される。このとき、リストされたインスタンスメタデータ識別子のうち、任意に選択されたインスタンスメタデータ識別子を有するコンポーネントが獲得され、消費される。
【００３３】
上述したように、本発明の方法は、プログラムで実現され、コンピュータで読み取り可能な形で記録媒体に保存され得る。
【００３４】
本発明は、韓国特許出願第２００４−１９５３３（２００４年３月２３日出願）及び第２００４−４７８５３（２００４年６月２４日出願）に係わる発明主題を含んでおり、本出願は、その内容を参考文書として提供している。
【００３５】
以上のように、本発明は、限定された実施形態と図面により説明したが、本発明は、これにより限定されるものではなく、本発明が属する技術分野において、通常の知識を有する者によって本発明の技術思想と下記に記載した特許請求の範囲の均等の範囲内で様々な修正及び変形が可能であることはもちろんである。
【図面の簡単な説明】
【００３６】
【図１】本発明が適用される実施形態に係るターゲッティングシステムを示す構成図である。
【図２】本発明が適用される位置決定におけるＣＲＩＤ、インスタンスメタデータ識別子及びロケータ（Ｌｏｃａｔｏｒ）ツリー構造である。
【図１】
2007531381.tif 000007
【図２】
2007531381.tif 000008
【国際調査報告】
2007531381.tif 000009